(57)【特許請求の範囲】
【請求項１】
ＣＰＵと記憶装置を有するデータ処理装置を備え、入力装置によってデータを入力可能に構成されるＰＣを用い発注者が送受信装置を用いインターネット回線を介して送信した加工部品の発注データを送受信装置を用いて受信し、前記加工部品の発注データに基づいて前記データ処理装置によってデータ処理を有し、ディスプレイに表示すると共に前記データ処理装置を用いて当該加工部品の受注処理を行う加工部品受注システムにおいて，
商品となる製品加工用の部品である加工部品を販売するために用途別に編集しそれぞれの用途別商品群毎に商品カタログとして発行するプレス金型用部品カタログと、プラスチック金型用部品カタログと、ＦＡ用部品カタログとからなる製品加工のカテゴリーの異なるそれぞれのカタログに掲載されている受注対象としている用途別カタログにおける全ての加工部品について、前記用途別に編集してなる商品カタログ別に、かつ前記用途別に編集してなる商品カタログ毎に前記データ処理装置のそれぞれのメモリエリア内に記憶し、該加工部品毎に一般的に多数使用され、原則としてストックしておく加工部品である標準部品領域と常時多数使用される加工部品とは異なり受注生産を行う加工部品である特注部品領域とを設けて記憶し、製品加工のカテゴリー毎に記憶されている商品となる加工部品の設計上で形状加工が全く認められない製品の形状と、繋ぎ形状、先端形状等の基本となる製品形状の内、予め選択可能な加工形状からなる加工部品の基本形状とを予め記憶してなる加工部品の基本構造と，
前記加工部品の基本構造に記憶されている受注対象の複数の商品カテゴリーのそれぞれの商品カテゴリー毎に予め設定する受注対象としている商品である加工部品の内、受注対象の前記商品カタログ及び製品加工のカテゴリー毎に記憶される商品である加工部品を設計図面の形で予め１つのデータとして、当該カテゴリーの商品の受注内容となる当該商品である加工部品の設計に必要なカタログ上の複数の基本形状に対して形状加工が可能な部分加工を示す加工内容を前記製品加工のカテゴリー毎にかつ各加工部品毎に選定可能に予め設定記憶されている加工内容データと，
前記加工部品の基本構造に基づく加工部品の基本形状に前記加工内容データに記憶されている加工内容の設定に基づいて選択した加工内容を加えた加工部品の形状に対応する図面を選定して表示する図面表示機能と，
を前記データ処理装置内の１つのメモリエリア内に備え，
発注者がＰＣを用いて、予め前記商品カタログ及び製品加工のカテゴリー毎に記憶されている商品である加工部品をの基本構造の中から、発注する加工部品の特定の基本構造を読み出し、前記発注者のＰＣのディスプレイ上に前記基本構造の作図を行い、該加工部品の基本構造における発注する加工部品の設計に必要な基本形状に対して形状加工が可能な部分加工を示す加工内容を設定することにより外形寸法を特定し、該設定した加工内容に基づいて前記基本構造の作図を行い、前記発注者のＰＣのディスプレイ上に該図面を表示し、該ディスプレイ上に表示された前記発注者が基本形状に対して形状加工が可能な部分加工を示す加工内容を設計した加工部品の図面を、送受信装置を用いインターネット回線を介して受注側のデータ処理装置によって受信することによって、前記プレス金型用部品カタログと、プラスチック金型用部品カタログと、ＦＡ用部品カタログとからなる製品加工のカテゴリーの異なるそれぞれのカタログに掲載されている全ての加工部品に対して、個別に受注処理を行うようにした
ことを特徴とする加工部品受注システム。
【請求項２】
請求項１に記載の発明において，
前記加工内容データにおいて予め設定されている標準部品領域にあるデータを設定したときは、価格設定を前記商品カタログとして発行しているプレス金型用部品カタログ、プラスチック金型用部品カタログ、ＦＡ用部品カタログに掲載されている商品の価格設定した金額を表示する機能と、
前記加工内容データにおいて予め設定されている特注部品領域にあるデータを設定したときは、価格設定を見積依頼と表示する機能と、
を設けた
ことを特徴とする加工部品受注システム。
【請求項３】
ＣＰＵと記憶装置を有するデータ処理装置を備え、入力装置によってデータを入力可能に構成されるＰＣを用い発注者が送受信装置を用いインターネット回線を介して送信した加工部品の発注データを送受信装置を用いて受信し、前記加工部品の発注データに基づいてデータ処理装置によってデータ処理を有し、ディスプレイに表示すると共に前記データ処理装置を用いて当該加工部品の受注処理を行う加工部品受注システムにおいて，
前記データ処理装置は，
記憶装置とＣＰＵとからなり，
前記記憶装置は，
商品となる製品加工用の部品である加工部品を販売するために用途別に編集しそれぞれの用途別商品群毎に商品カタログとして発行しているプレス金型用部品カタログ、プラスチック金型用部品カタログ、ＦＡ用部品カタログとからなる製品加工のカテゴリーの異なるそれぞれのカタログに掲載されている受注対象としている用途別カタログにおける全ての加工部品について、前記用途別に編集してなる商品カタログ別に、かつ前記用途別に編集してなる商品カタログ毎に記憶する１つのカタログカテゴリーメモリエリアと、
前記カタログカテゴリーメモリエリアに記憶されている複数のカタログカテゴリーのそれぞれのカタログカテゴリー毎に予め設定する受注対象としている商品となる製品加工用の部品である加工部品の全てを、製品の種類を示す製品加工のカテゴリー毎に、かつ各加工部品毎に一般的に多数使用され原則としてストックしておく加工部品である標準部品領域と、常時多数使用される加工部品とは異なり受注生産を行う加工部品である特注部品領域とを設け予め個別に分けて設定記憶する１つの商品カテゴリーメモリエリアと、
前記商品カテゴリーメモリエリアによって記憶されている受注対象の複数の商品カテゴリーのそれぞれの商品カテゴリー毎に当該商品カテゴリーの商品となる製品加工用の部品である加工部品の全ての形状加工について、製品加工のカテゴリー毎に記憶されている商品となる加工部品の設計上で形状加工が全く認められない製品の形状と、繋ぎ形状、先端形状等の基本となる製品形状の内、予め選択可能な加工形状からなる加工部品の基本形状とを予め商品カテゴリー毎に、かつ各加工部品毎に記憶する１つの基本形状メモリエリアと、
前記商品カテゴリーメモリエリアによって記憶されている受注対象の複数の商品カテゴリーのそれぞれの商品カテゴリー毎に予め設定する受注対象としている商品となる製品加工用の部品である加工部品の内、当該商品カテゴリーの商品の受注内容となる当該商品である加工部品に対する前記基本形状に対して形状加工が可能な部分加工を示す複数の加工内容を商品カテゴリー毎に、かつ各加工部品毎に予め設定記憶する１つの加工内容メモリエリアと、
前記加工内容メモリエリアによって記憶されているそれぞれの各加工内容毎に当該加工内容に対する前記商品カテゴリーメモリエリアに記憶されている加工部品に対応した材質の中から特定する材料である材質、前記基本形状メモリエリアに記憶されている商品となる製品加工用の部品である加工部品の全ての基本形状の各加工寸法の範囲内において定めた寸法である形状寸法設定、商品となる製品加工用の部品である加工部品の全ての加工上で許容される加工後の加工許容誤差である公差設定からなる加工条件を予め商品カテゴリー毎に、かつ各加工部品毎に設定して記憶する１つの加工条件メモリエリアと、
前記加工条件メモリエリアによって仕分けされる前記カタログカテゴリーメモリエリアにおいて特定されるカタログカテゴリー毎の、前記商品カテゴリーメモリエリアにおいて特定される商品カテゴリ毎の、前記基本形状メモリエリアにおいて特定される基本形状毎に特定される商品である加工部品の全てに対して、個々に対応して前記プレス金型用部品カタログ、プラスチック金型用部品カタログ、ＦＡ用部品カタログの各商品カタログにおいて、それぞれの商品カタログに掲載されている加工部品に対して１つ１つ付されて予め特定してある製品番号を示す商品カタログコードを記憶する１つの商品コードメモリエリアと、
を備え，
前記ＣＰＵは，
前記記憶装置に記憶されている各データをインターネット回線を介して送信されてくる発注者のＰＣからの要求に応じてインターネット回線を介して順次発注者のＰＣに送信し、前記発注者のＰＣから送信されてくるデータの入力に基づいて加工部品の発注要求を受けて商品となる製品加工用の部品である加工部品の受注処理を行う
ことを特徴とする加工部品受注システム。
【請求項４】
請求項３に記載の発明において，
見積価格表示機能と、納期表示機能を持たせた
ことを特徴とする加工部品受注システム。
【請求項５】
請求項４に記載の発明において，
前記ＣＰＵにおいては，
前記カタログカテゴリーメモリエリアにおいて特定の商品カタログを選定し、前記商品カテゴリーメモリエリアおいて特定の商品カテゴリーを選定し、前記基本形状メモリエリアに記憶されている特定の基本形状を選定すると、前記基本形状メモリエリアに記憶されている基本形状中から選定した商品カテゴリーの基本形状をディスプレイに表示し、前記ディスプレイ上において前記加工内容メモリエリアに予め記憶されている複数の加工内容を発注者側のＰＣに表示し、当該加工部品についての前記加工条件メモリエリアに記憶されている各加工条件を入力可能にすると共に前記複数の加工内容の中から前記ディスプレイ上において特定の加工内容を発注者側のＰＣに選定可能に表示し、前記発注者側のＰＣにおいて前記加工内容メモリエリアに予め記憶されている複数の加工内容と前記加工条件メモリエリアに記憶されている各加工条件を入力すると、当該入力した加工条件によって当該加工部品が標準部品領域のものか、特注部品領域のものかを判断し、当該加工部品の見積価格と、納期を前記発注者側のＰＣに表示する
ことを特徴とする加工部品受注システム。
【請求項６】
請求項３，４又は５に記載の発明において，
前記加工内容メモリエリアは，
標準部品として予め設定されている部分加工である
ことを特徴とする加工部品受注システム。
【請求項７】
請求項６に記載の発明において，
前記予め設定されている部分加工は，
ストレート加工、先端加工、中つば加工、彫刻付加工、廻り止め加工、つば加工のいずれかである
ことを特徴とする加工部品受注システム。
【発明の詳細な説明】
【技術分野】
【０００１】
本発明は、プレス金型用部品、プラスチック金型用部品、ＦＡ用部品をＷｅｂ上で発注し、この発注内容に基づいて生産受注を行う加工部品受注システムに係り、特にプレス金型用部品カタログ、プラスチック金型用部品カタログ、ＦＡ用部品カタログに掲載されている商品群の中から、発注者が任意に設定した商品カテゴリー、基本形状、加工内容、加工条件に基づいて選定する商品を標準品、特注品別に受注することのできる加工部品受注システムに関する。
【背景技術】
【０００２】
プレス金型用部品、プラスチック金型用部品、ＦＡ用部品は、使用用途によって多種多様な形状、寸法、材質を要し、例えば、プラスチック金型用の一段コアピンを例にとっても、一段目のつなぎ形状が６種類、さらに先端形状がつなぎ形状１１種類のそれぞれについて１２種類、材質がつなぎ形状と先端形状を組み合わせた６６種類のそれぞれに対して６種類、それに鍔部の径が１２種類、加えて鍔の厚さ、ピンの径、公差という具合に一段コアピンだけでも多種類を極めている。このようなプラスチック金型用製品やプレス金型用製品の全製品を１冊の製品カタログにするとＡ４判の大きさの製品カタログで２０００頁にも及び、厚さが３０〜３５mmにも及ぶものとなっている。
【０００３】
従来は、このような製品カタログを用いて、製品カタログの中から使用目的にあった金型用部品を探し出して手書きで製品発注書を作成し、製造業者に郵送、ファクシミリ等の手段で送付して行っている。
【０００４】
そこで、近年、製品毎の基本形状、製品毎に選択可能な材質の種類、製品毎に設定可能な加工寸法範囲、及び製品の加工寸法に応じた納期を予めＲＯＭ２の記憶エリアに記憶しておき、選択した製品に対応する基本形状を読み出し、ディスプレイに表示して材質の種類を選定し、基本形状の加工寸法をカーソルの指定に応じて挿入し、挿入した加工寸法に基づいてＣＰＵ１で自動作図してディスプレイ上に表示し、当該選定した材質、加工寸法に基づいた製品コードを特定し、この製品コードに基づいて、購入数量の指定によって製品単価及び合計金額の算出並びに納期の特定を行って製品コード、基本形状、材質、加工寸法、製品単価、合計金額、及び納期をディスプレイ上に表示すると共に、プリントアウトすることにより、発注書の作成する製品発注書作成管理システムが提案されている（例えば、特許文献１参照。）。
【先行技術文献】
【特許文献】
【０００５】
【特許文献１】特開平８−１２３８５４号公報
【発明の概要】
【発明が解決しようとする課題】
【０００６】
このような特許文献１は、発注者自らが基本形状に加工寸法を挿入することにより、自動作図されディスプレイ上に表示された図面に基づいたカタログにある製品コードを特定し、購入数量の指定によって製品単価及び合計金額の算出並びに納期の特定を行って、プリントアウトして発注書を作成するものであり、従来の発注者が製品カタログを用いて、製品カタログの中から使用目的にあった金型用部品を探し出して手書きで製品発注書を作成するところをコンピュータを用いて行うにすぎない。
【０００７】
このため、特許文献１にあっては、発注する側の発注書の作成については、自動化することができても、受注を受ける側は、プリントアウトされてできた発注者が作成した製品発注書を受け取り、用紙で受注することが行われている。
このように特許文献１ては、受注を受ける側については、全く改良されておらず、旧態依然に、発注者が作成した製品発注書をファクシミリ等の送信手段によって受け取るようになっており、コンピュータによって受注処理を行うことは難しいものとなっている。
【０００８】
本発明の目的は、プレス金型用部品カタログ、プラスチック金型用部品カタログ、ＦＡ用部品カタログに掲載されている商品群の中から、発注者が任意に設定した商品カテゴリー、基本形状、加工内容、加工条件に基づいて選定する商品をＷｅｂ上で標準品、特注品別に受注することのできる加工部品受注システムを提供することを目的としている。
【課題を解決するための手段】
【０００９】
上記課題を解決するためになされた請求項１に記載の本発明に係る加工部品受注システムは、ＣＰＵと記憶装置を有するデータ処理装置を備え、入力装置によってデータを入力可能に構成されるＰＣを用い発注者が送受信装置を用いインターネット回線を介して送信した加工部品の発注データを送受信装置を用いて受信し、前記加工部品の発注データに基づいて前記データ処理装置によってデータ処理を有し、ディスプレイに表示すると共に前記データ処理装置を用いて当該加工部品の受注処理を行う加工部品受注システムにおいて，
商品となる製品加工用の部品である加工部品を販売するために用途別に編集しそれぞれの用途別商品群毎に商品カタログとして発行するプレス金型用部品カタログと、プラスチック金型用部品カタログと、ＦＡ用部品カタログとからなる製品加工のカテゴリーの異なるそれぞれのカタログに掲載されている受注対象としている用途別カタログにおける全ての加工部品について、前記用途別に編集してなる商品カタログ別に、かつ前記用途別に編集してなる商品カタログ毎に前記データ処理装置のそれぞれのメモリエリア内に記憶し、該加工部品毎に一般的に多数使用され、原則としてストックしておく加工部品である標準部品領域と常時多数使用される加工部品とは異なり受注生産を行う加工部品である特注部品領域とを設けて記憶し、製品加工のカテゴリー毎に記憶されている商品となる加工部品の設計上で形状加工が全く認められない製品の形状と、繋ぎ形状、先端形状等の基本となる製品形状の内、予め選択可能な加工形状からなる加工部品の基本形状とを予め記憶してなる加工部品の基本構造と，
前記加工部品の基本構造に記憶されている受注対象の複数の商品カテゴリーのそれぞれの商品カテゴリー毎に予め設定する受注対象としている商品である加工部品の内、受注対象の前記商品カタログ及び製品加工のカテゴリー毎に記憶される商品である加工部品を設計図面の形で予め１つのデータとして、当該カテゴリーの商品の受注内容となる当該商品である加工部品の設計に必要なカタログ上の複数の基本形状に対して形状加工が可能な部分加工を示す加工内容を前記製品加工のカテゴリー毎にかつ各加工部品毎に選定可能に予め設定記憶されている加工内容データと，
前記加工部品の基本構造に基づく加工部品の基本形状に前記加工内容データに記憶されている加工内容の設定に基づいて選択した加工内容を加えた加工部品の形状に対応する図面を選定して表示する図面表示機能と，
を前記データ処理装置内の１つのメモリエリア内に備え，
発注者がＰＣを用いて、予め前記商品カタログ及び製品加工のカテゴリー毎に記憶されている商品である加工部品をの基本構造の中から、発注する加工部品の特定の基本構造を読み出し、前記発注者のＰＣのディスプレイ上に前記基本構造の作図を行い、該加工部品の基本構造における発注する加工部品の設計に必要な基本形状に対して形状加工が可能な部分加工を示す加工内容を設定することにより外形寸法を特定し、該設定した加工内容に基づいて前記基本構造の作図を行い、前記発注者のＰＣのディスプレイ上に該図面を表示し、該ディスプレイ上に表示された前記発注者が基本形状に対して形状加工が可能な部分加工を示す加工内容を設計した加工部品の図面を、送受信装置を用いインターネット回線を介して受注側のデータ処理装置によって受信することによって、前記プレス金型用部品カタログと、プラスチック金型用部品カタログと、ＦＡ用部品カタログとからなる製品加工のカテゴリーの異なるそれぞれのカタログに掲載されている全ての加工部品に対して、個別に受注処理を行うようにしたことを特徴としている。
【００１０】
上記課題を解決するためになされた請求項２に記載の本発明に係る加工部品受注システムは、請求項１に記載の発明において、
前記加工内容データにおいて予め設定されている標準部品領域にあるデータを設定したときは、価格設定を前記商品カタログとして発行しているプレス金型用部品カタログ、プラスチック金型用部品カタログ、ＦＡ用部品カタログに掲載されている商品の価格設定した金額を表示する機能と、
前記加工内容データにおいて予め設定されている特注部品領域にあるデータを設定したときは、価格設定を見積依頼と表示する機能と、
を設けたことを特徴としている。
【００１１】
上記課題を解決するためになされた請求項３に記載の本発明に係る加工部品受注システムは、ＣＰＵと記憶装置を有するデータ処理装置を備え、入力装置によってデータを入力可能に構成されるＰＣを用い発注者が送受信装置を用いインターネット回線を介して送信した加工部品の発注データを送受信装置を用いて受信し、前記加工部品の発注データに基づいてデータ処理装置によってデータ処理を有し、ディスプレイに表示すると共に前記データ処理装置を用いて当該加工部品の受注処理を行う加工部品受注システムにおいて，
前記データ処理装置は，
記憶装置とＣＰＵとからなり，
前記記憶装置は，
商品となる製品加工用の部品である加工部品を販売するために用途別に編集しそれぞれの用途別商品群毎に商品カタログとして発行しているプレス金型用部品カタログ、プラスチック金型用部品カタログ、ＦＡ用部品カタログとからなる製品加工のカテゴリーの異なるそれぞれのカタログに掲載されている受注対象としている用途別カタログにおける全ての加工部品について、前記用途別に編集してなる商品カタログ別に、かつ前記用途別に編集してなる商品カタログ毎に記憶する１つのカタログカテゴリーメモリエリアと、
前記カタログカテゴリーメモリエリアに記憶されている複数のカタログカテゴリーのそれぞれのカタログカテゴリー毎に予め設定する受注対象としている商品となる製品加工用の部品である加工部品の全てを、製品の種類を示す製品加工のカテゴリー毎に、かつ各加工部品毎に一般的に多数使用され原則としてストックしておく加工部品である標準部品領域と、常時多数使用される加工部品とは異なり受注生産を行う加工部品である特注部品領域とを設け予め個別に分けて設定記憶する１つの商品カテゴリーメモリエリアと、
前記商品カテゴリーメモリエリアによって記憶されている受注対象の複数の商品カテゴリーのそれぞれの商品カテゴリー毎に当該商品カテゴリーの商品となる製品加工用の部品である加工部品の全ての形状加工について、製品加工のカテゴリー毎に記憶されている商品となる加工部品の設計上で形状加工が全く認められない製品の形状と、繋ぎ形状、先端形状等の基本となる製品形状の内、予め選択可能な加工形状からなる加工部品の基本形状とを予め商品カテゴリー毎に、かつ各加工部品毎に記憶する１つの基本形状メモリエリアと、
前記商品カテゴリーメモリエリアによって記憶されている受注対象の複数の商品カテゴリーのそれぞれの商品カテゴリー毎に予め設定する受注対象としている商品となる製品加工用の部品である加工部品の内、当該商品カテゴリーの商品の受注内容となる当該商品である加工部品に対する前記基本形状に対して形状加工が可能な部分加工を示す複数の加工内容を商品カテゴリー毎に、かつ各加工部品毎に予め設定記憶する１つの加工内容メモリエリアと、
前記加工内容メモリエリアによって記憶されているそれぞれの各加工内容毎に当該加工内容に対する前記商品カテゴリーメモリエリアに記憶されている加工部品に対応した材質の中から特定する材料である材質、前記基本形状メモリエリアに記憶されている商品となる製品加工用の部品である加工部品の全ての基本形状の各加工寸法の範囲内において定めた寸法である形状寸法設定、商品となる製品加工用の部品である加工部品の全ての加工上で許容される加工後の加工許容誤差である公差設定からなる加工条件を予め商品カテゴリー毎に、かつ各加工部品毎に設定して記憶する１つの加工条件メモリエリアと、
前記加工条件メモリエリアによって仕分けされる前記カタログカテゴリーメモリエリアにおいて特定されるカタログカテゴリー毎の、前記商品カテゴリーメモリエリアにおいて特定される商品カテゴリ毎の、前記基本形状メモリエリアにおいて特定される基本形状毎に特定される商品である加工部品の全てに対して、個々に対応して前記プレス金型用部品カタログ、プラスチック金型用部品カタログ、ＦＡ用部品カタログの各商品カタログにおいて、それぞれの商品カタログに掲載されている加工部品に対して１つ１つ付されて予め特定してある製品番号を示す商品カタログコードを記憶する１つの商品コードメモリエリアと、
を備え，
前記ＣＰＵは，
前記記憶装置に記憶されている各データをインターネット回線を介して送信されてくる発注者のＰＣからの要求に応じてインターネット回線を介して順次発注者のＰＣに送信し、前記発注者のＰＣから送信されてくるデータの入力に基づいて加工部品の発注要求を受けて商品となる製品加工用の部品である加工部品の受注処理を行うことを特徴としている。
【００１３】
上記課題を解決するためになされた請求項４に記載の本発明に係る加工部品受注システムは、請求項３に記載の発明において、見積価格表示機能と、納期表示機能を持たせたことを特徴としている。
【００１４】
上記課題を解決するためになされた請求項５に記載の本発明に係る加工部品受注システムは、請求項４に記載の発明において、
前記ＣＰＵにおいては，
前記カタログカテゴリーメモリエリアにおいて特定の商品カタログを選定し、前記商品カテゴリーメモリエリアおいて特定の商品カテゴリーを選定し、前記基本形状メモリエリアに記憶されている特定の基本形状を選定すると、前記基本形状メモリエリアに記憶されている基本形状中から選定した商品カテゴリーの基本形状をディスプレイに表示し、前記ディスプレイ上において前記加工内容メモリエリアに予め記憶されている複数の加工内容を発注者側のＰＣに表示し、当該加工部品についての前記加工条件メモリエリアに記憶されている各加工条件を入力可能にすると共に前記複数の加工内容の中から前記ディスプレイ上において特定の加工内容を発注者側のＰＣに選定可能に表示し、前記発注者側のＰＣにおいて前記加工内容メモリエリアに予め記憶されている複数の加工内容と前記加工条件メモリエリアに記憶されている各加工条件を入力すると、当該入力した加工条件によって当該加工部品が標準部品領域のものか、特注部品領域のものかを判断し、当該加工部品の見積価格と、納期を前記発注者側のＰＣに表示することを特徴としている。
【００１５】
上記課題を解決するためになされた請求項６に記載の本発明に係る加工部品受注システムは、請求項３，４又は５に記載の発明において、前記加工内容メモリエリアを，標準部品として予め設定されている部分加工で構成したことを特徴としている。
【００１６】
上記課題を解決するためになされた請求項７に記載の本発明に係る加工部品受注システムは、請求項６に記載の発明において、前記予め設定されている部分加工を，ストレート加工、先端加工、中つば加工、彫刻付加工、廻り止め加工、つば加工のいずれかで構成したことを特徴としている。
【発明の効果】
【００１９】
本発明によれば、プレス金型用部品カタログ、プラスチック金型用部品カタログ、ＦＡ用部品カタログに掲載されている商品群の中から、発注者が任意に設定した商品カテゴリー、基本形状、加工内容、加工条件に基づいて選定する商品をＷｅｂ上で標準品、特注品別に受注することができる。
【図面の簡単な説明】
【００２０】
【図１】本発明に係る加工部品受注システムに適用される発注側のＰＣの基本構成図である。
【図２】本発明に係る加工部品受注システムに適用される発注側のデータ処理装置の基本構成図である。
【図３】本発明に係る加工部品受注システムの全体の流れを示す図である。
【図４】本発明に係る加工部品受注システムのカタログカテゴリを示す図である。
【図５】図４に図示の複数のカタログカテゴリの中から選択したカタログカテゴリに基づく商品カテゴリーの一覧を示す図である。
【図６】図５に図示の商品カテゴリーの中のストレートエジェクタピンの基本形状を示す図である。
【図７】図５に図示の商品カテゴリーの中の段付エジェクタピンの基本形状を示す図である。
【図８】図５に図示の商品カテゴリーの中の角エジェクタピンの基本形状を示す図である。
【図９】図５に図示の複数の商品カテゴリの中から選択した商品カテゴリに基づく加工内容の一覧を示す図である。
【図１０】図９に図示の加工内容の一覧の中から先端加工を選択したときの図６に図示のストレートエジェクタピンの先端形状が指定できる基本形状を示す図である。
【図１１】図９に図示の加工内容の一覧の中から先端加工を選択したときの図７に図示の段付エジェクタピンの先端形状が指定できる基本形状を示す図である。
【図１２】図１０に図示のストレートエジェクタピン及び図１１に図示の段付エジェクタピンの先端形状の加工形状を示す図である。
【図１３】図９に図示の加工内容の一覧の中から先端加工を選択したときの図７に図示の角エジェクタピンの先端形状が指定できる基本形状を示す図である。
【図１４】図１３に図示の角エジェクタピンの先端形状の加工形状を示す図である。
【図１５】図９に図示の加工内容の一覧の中から先端加工を選択したときの図６に図示のストレートエジェクタピンの先端形状の一覧と、材質の表示を示す図である。
【図１６】図１５に図示のストレートエジェクタピンの先端形状の一覧の中から特定の先端形状を選択し、各設計寸法について予め設定されている加工条件又は任意の寸法数値を挿入したときのストレートエジェクタピンの全体形状を示す図である。
【図１７】図１５に図示のストレートエジェクタピンの先端形状の一覧の中から特定の先端形状を選択し、各設計寸法について予め設定されている加工条件又は任意の寸法数値を挿入した際に規格外となった際の表示状態を示す図である。
【図１８】図１７に図示のストレートエジェクタピンが規格外となった明細を示す図である。
【図１９】図１５に図示のストレートエジェクタピンの標準品として発注可能な寸法範囲と、特注品として発注可能な寸法範囲を示す図である。
【発明を実施するための形態】
【実施例１】
【００２１】
以下、本発明の実施例について説明する。
図１には、本発明に係る加工部品受注システムに適用される発注側のＰＣの基本構成図が示されている。
図２には、本発明に係る加工部品受注システムに適用される発注側のデータ処理装置の基本構成図が示されている。
【００２２】
図１において、発注側のＰＣは、ＣＰＵ（中央処理装置）１を備え、該ＣＰＵ（中央処理装置）１には、バスラインによってＲＯＭ（リード・オンリー・メモリ）２、ＲＡＭ（ランダム・アクセス・メモリ）３、ディスプレイ４が接続されている。
また、ＣＰＵ１には、Ｉ／Ｏ（入出力インターフェース）５を介してキーボード６と通信アダプタ７が接続されている。この通信アダプタ７には、送受信装置８が接続されており、アンテナ９を介してインターネット回線に接続可能に構成されている。
【００２３】
ＣＰＵ１は、ＲＯＭ２に記憶されている受注側のアドレスにインターネット回線を介して通信アダプタ７に接続される送受信装置８によってアクセスすることができ、キーボード６によって外部より入力する外部入力データと受注側のデータ処理装置とデータとの交信によって演算処理を行うものである
ＲＯＭ２は、受注側から送信されてくるデータに基づいてデータ処理を行う処理プログラムと、キーボード６によって外部より入力する外部入力データを受注側のデータ処理装置に送信する処理プログラムを格納するものである。
【００２４】
ＲＡＭ（ランダム・アクセス・メモリ）３は、キーボード６によって外部より入力する外部入力データを記憶すると共に受注側から送信されてくるデータを必要に応じて一次記憶するためのものである。
ディスプレイ４は、受注側から送信されてくるプログラムのデータ処理画面を表示すると共に、キーボード６によって外部より入力する外部入力データを表示するものである。
【００２５】
通信アダプタ７は、受注側のデータ処理装置からインターネット回線を介して送信されてくるデータを通信回線に乗せて発注側のＰＣで受信したり、ＲＯＭ１１に記憶されているデータと、ＲＡＭ１２に記憶された基本形状又は加工形状の作図を通信回線に乗せて発注側の制御機器に送信するものである。
送受信装置８は、通信アダプタ７に接続され、通信アダプタ７を介して発注側のＰＣから出力されるデータをインターネット回線に乗せて送信したり、受注側のデータ処理装置からインターネット回線を介して送信されてくるデータを発注側のＰＣで受信できるようにするものである。
【００２６】
図２に図示の受注側のデータ処理装置は、ＣＰＵ（中央処理装置）１０を備え、該ＣＰＵ（中央処理装置）１０には、バスラインを介して、ＲＯＭ（リード・オンリー・メモリ）１１と、ＲＡＭ（ランダム・アクセス・メモリ）１２と、ディスプレイ１３と、Ｉ／Ｏ（入出力インターフェース）１４とが接続されている。
このＩ／Ｏ（入出力インターフェース）１４には、キーボード１５と、通信アダプタ１６とが接続されており、この通信アダプタ１６には、送受信装置１７が接続されている。
【００２７】
ＣＰＵ１０は、ＲＯＭ１１に記憶されている加工部品の製品情報と、発注者側のＰＣのキーボード６によって外部より入力され送受信装置８によって送信されてくる外部入力データとに基づいて、加工部品のデータ処理を行うものである。
ＲＯＭ１１は、加工部品の受注するための受注データ処理を行うプログラム情報を記憶するもので、発注側のＰＣからのアクセスに基づいて、加工部品受注システムを起動するプログラムが基本記憶エリアに記憶されている。
【００２８】
また、このＲＯＭ１１は、基本記憶エリアの他にカタログカテゴリーメモリエリア２１と、商品カテゴリーメモリエリア２２と、基本形状メモリエリア２３と、加工内容メモリエリア２４と、加工条件メモリエリア２５と、商品コードメモリエリア２６の、６つのメモリエリアを有している。
【００２９】
ＲＯＭ１１のカタログカテゴリーメモリエリア２１には、商品である製品加工用の部品（本明細書においては、「加工部品」と称している。）を販売するために編集した商品カタログとして発行しているプレス金型用部品カタログと、プラスチック金型用部品カタログと、ＦＡ用部品カタログと製品加工のカテゴリーの異なるそれぞれのカタログに掲載されている商品である加工部品の全加工部品が、カタログ別に、かつカタログ毎に記憶されている。
【００３０】
商品カテゴリーメモリエリア２２には、カタログカテゴリーメモリエリア２１に記憶されている複数のカタログカテゴリーのそれぞれのカタログカテゴリー毎に予め設定する受注対象としている商品である加工部品が、カテゴリー毎に、かつ各加工部品毎に予め設定されて記憶されている。
この商品カテゴリーは、ストレートエジェクタピン、段付エジェクタピン、角エジェクタピン、エジェクタスリーブ、センターピン（コアピン）、コアスリーブ、丸入れ子、穴あき丸入れ子、インローピン等の製品の種類を示すものである。
また、この商品カテゴリーメモリエリア２２には、カタログカテゴリーメモリエリア２１によって記憶されている複数のカタログカテゴリーのそれぞれのカタログカテゴリーに予め設定されている受注対象の商品である加工部品毎に標準部品領域と、特注部品領域とが設けられている。
標準部品とは、一般的に多数使用され、原則としてストックしておく加工部品のことである。また、特注部品とは、常時多数使用される加工部品とは異なり、原則として受注生産を行う加工部品のことで、ストックしておく加工部品ではない。
【００３１】
基本形状メモリエリア２３には、商品カテゴリーメモリエリア２２によって記憶されている受注対象の複数の商品カテゴリーのそれぞれの商品カテゴリー毎に予め設定する受注対象としている商品である加工部品の基本形状が、商品カテゴリー毎に、かつ各加工部品毎に予め記憶されている。
この基本形状は、形状加工が全く認められない製品の形状と、予め選択可能な加工形状から、繋ぎ形状、先端形状等の基本となる製品形状をとがある。
【００３２】
加工内容メモリエリア２４には、商品カテゴリーメモリエリア２２によって記憶されている受注対象の複数の商品カテゴリーのそれぞれの商品カテゴリー毎に予め設定する受注対象としている商品である加工部品の内、当該商品カテゴリーの商品の受注内容となる当該商品である加工部品に対する複数の加工内容が商品カテゴリー毎に、かつ各加工部品毎に予め設定されて記憶されている。
この加工内容は、基本形状に対して形状加工が可能な部分加工を示すもので、例えば、ストレートエジェクタピンを例に採ると、ストレート加工、先端形状加工、中つば加工、彫刻付加工等である。その他の加工としては，廻り止め加工、つば加工等がある。
【００３３】
加工条件メモリエリア２５には、加工内容メモリエリア２４によって記憶されているそれぞれの各加工内容毎に当該加工内容に対する複数の加工条件が予め設定して記憶されている。
この加工条件には、材質、形状寸法設定、公差設定がある。
材質は、ＲＯＭ１１の商品カテゴリーメモリエリア２２に記憶されている加工用部品に対応した材質（表面硬度、内部硬度が特定されている）の中から特定する材料のことで、高速度工具鋼（ＳＫＨ５１）、ダイス鋼（ＳＫＤ６１）、炭素工具鋼（ＳＫＳ）といった材質等である。
また、形状寸法設定は、基本形状メモリエリア２３に記憶されている加工用部品の基本形状の各加工寸法の範囲内において定めた寸法のことで、図６，図７，図８，図１０，図１１，図１３の書く図における鍔径Ｈの値、鍔厚Ｔの値、全長Ｌの値、シャンク径Ｄの値、一段目の段差までの長さＦの値等当該製品を加工するに必要な寸法の数値である。
公差は、加工用部品の加工上で許容される加工後の加工許容誤差のことである。
【００３４】
商品コードメモリエリア２６には、加工条件メモリエリア２５によって仕分けされた、カタログカテゴリーメモリエリア２１において特定されるカタログカテゴリー毎の、商品カテゴリーメモリエリア２２において特定される商品カテゴリ毎の、基本形状メモリエリア２３において特定される基本形状毎に特定される商品である加工部品に対して、個々に対応して各商品カタログにおいて予め特定してある製品番号を示す商品コードが記憶されている。
この商品コードは、プレス金型用部品カタログ、プラスチック金型用部品カタログ、ＦＡ用部品カタログの各商品カタログにおいて、それぞれの商品カタログに掲載されている加工部品に対して１つ１つ付されている製品番号のことである。
【００３５】
ＲＡＭ（ランダム・アクセス・メモリ）１２は、ＲＯＭ１１に記憶されている加工部品の製品情報に基づいてＲＯＭ１１に記憶されている加工部品受注システムプログラムにしたがってＣＰＵ１０において演算した結果を記憶するものである。すなわち、ＲＡＭ１２は、発注側のＣＰＵ１から送受信装置８を介して送信されるデータを格納すると共に、受注側のデータ処理装置のＣＰＵ１０から送受信装置１７を介して送信するデータを格納するものである。
このＲＡＭ１２は、第１の記憶エリア１８と第２の記憶エリア１９とを有している。
【００３６】
第１の記憶エリア１８には、商品コードメモリエリア２６に記憶されている商品コードに対応した見積価格が記憶されており、第２の記憶エリア１９には、商品コードメモリエリア２６に記憶されている商品コードに対応した納期と、特注部品扱いとなったときの納期が記憶されている。
見積単価は、製品コード、加工形状、材質、加工寸法が設定されることによって決定される予め設定されている価格表の中から自動的に選定されるもので、加工部品１個に対する値段である。見積合計金額は、購入数量の指定を行うことにより見積単価に数量を掛け合わせて算出するものであるが、指定した基本形状の加工寸法が予め記憶されている加工寸法範囲内に収まっている場合にのみ合計金額の算出が行われ、購入数量が予め設定しておいた数量を超えた場合には、購入数量に応じて予め設定してある値引き率を掛け合わせて自動計算して算出する。
【００３７】
そして、購入希望加工部品の基本形状の加工寸法の指定が予め記憶されている標準部品としての加工寸法範囲内に収まっていない場合、見積金額については別途見積りとなり、見積金額の具体的金額の表示はしない。
また、納期は、製品コード、基本形状、加工形状、材質、加工寸法の相違によってＲＡＭ１２の第２の記憶エリア１９に予め記憶されており、発注を受けてから何日で発送するかを示している。この納期は、特に加工寸法の公差指定によって変化し、公差が厳しいほど長くなっている。
【００３８】
カタログカテゴリーメモリエリア２１において特定の商品カタログを選定し、商品カテゴリーメモリエリア２２おいて特定の商品カテゴリーを選定し、基本形状メモリエリア２３に記憶されている特定の基本形状を選定すると、基本形状メモリエリア２４に記憶されている基本形状中から選定した商品カテゴリーの基本形状をディスプレイに表示し、ディスプレイ上において加工内容メモリエリア２５に予め記憶されている複数の加工内容を発注者側のＰＣに表示し、加工部品についての加工条件メモリエリア２６に記憶されている各加工条件を入力可能にすると共に複数の加工内容の中からディスプレイ上において特定の加工内容を発注者側のＰＣに選定可能に表示し、発注側のＰＣにおいて加工内容メモリエリア２５に予め記憶されている複数の加工内容と加工条件メモリエリア２６に記憶されている各加工条件を入力し、当該入力した加工条件によって当該加工部品が標準部品領域のものか、特注部品領域のものかを判断し、ＲＡＭ１２の第１の記憶エリア１８に記憶されている見積価格と、ＲＡＭ１２の第２の記憶エリア１９に記憶されている納期が決定される。
【００３９】
ディスプレイ１３は、発注側のＰＣからの受注側のデータ処理装置のＣＰＵ１０へのアクセスによる起動操作に基づいて、受注側のデータ処理装置のＣＰＵ１０の加工部品受注システムのプログラムの起動状態を表示するためのものである。
また、ディスプレイ１３は、受注側のデータ処理装置のＣＰＵ１０において加工部品受注システムのプログラムが起動した後、受注側のＣＰＵ１０上で起動している加工部品受注システムのプログラムにおける発注側のキーボード６によって外部より入力される発注側の外部入力データに基づくデータ処理状態を表示するためのものである。
さらに、ディスプレイ１３は、発注側のキーボード６によって外部より入力される発注側の外部入力データによって行われる受注側のデータ処理装置のＣＰＵ１０への問い合わせに対して、受注側のキーボード１５によって外部より入力される外部入力データを表示するためのものである。
またさらに、ディスプレイ１３は、受注側からの発注内容が特定された際に受注側からの発注内容を表示するためのものである。
【００４０】
Ｉ／Ｏ（入出力インターフェース）１４は、受注側のＣＰＵ１０と外部機器とのデータの授受を行うために用いる接続機器である。
キーボード１５は、受注側のＣＰＵ１０上で起動している加工部品受注システムのプログラムにおいて、発注側のデータ処理装置のＣＰＵ１０に対して送信する必要がある場合に外部よりデータを入力するためのものである。
【００４１】
通信アダプタ１６は、送受信装置１７をＩ／Ｏ１４に接続するためのアダプタである。すなわち、通信アダプタ１６は、受注側のデータ処理装置からインターネット回線を介して送信されてくるデータを通信回線に乗せて発注側のＰＣで受信したり、ＲＯＭ１１に記憶されているデータと、ＲＡＭ１２に記憶された基本形状又は加工形状の作図を通信回線に乗せて発注側の制御機器に送信するものである。
送受信装置１７は、発注側のＰＣとインターネット回線を通じてデータの授受を行うためのものである。すなわち、送受信装置１７は、通信アダプタ１６に接続され、通信アダプタ１６を介して発注側のＰＣから出力されるデータをインターネット回線に乗せて送信したり、受注側のデータ処理装置からインターネット回線を介して送信されてくるデータを発注側のＰＣで受信できるようにするものである。
【００４２】
このように、発注側のＰＣは、受注側のデータ処理装置のＣＰＵ１０にアクセスして、この受注側のＣＰＵ１０を起動させ、加工部品受注システムのプログラムをスタートさせる。このようにして起動し加工部品受注システムのプログラムがスタートすると、受注側のデータ処理装置のＣＰＵ１０では、受注側のデータ処理装置のＲＯＭ１１に格納されている発注側のＰＣに加工部品受注システムの操作プログラムを送信する。この受注側のデータ処理装置から発注側のＰＣに送信された操作プログラムは、発注側のＲＯＭ（リード・オンリー・メモリ）２に一時格納され、発注側のＰＣによる受注側のデータ処理装置のＣＰＵ１０を操作する操作プログラムとなる。
【００４３】
この発注側のＲＯＭ２に格納された操作プログラムによって、発注側のＣＰＵ１に接続されるＩ／Ｏ５に通信アダプタ７を介して接続されている送受信装置８から、Ｉ／Ｏ５に接続されているキーボード６の操作に基づいて発注側のＣＰＵ１からデータをインターネット回線を用いて受注側に送信する。この発注側のＣＰＵ１から送受信装置８を介して送信されたデータは、送受信装置１７によって発注側で受信し、受注側のデータ処理装置のＣＰＵ１０上で起動している受注側のＲＯＭ１１に格納されている加工部品受注システムプログラムに基づいて処理される。
このように受注側のデータ処理装置のＣＰＵ１０上で起動する加工部品受注システムプログラムは、発注側のＲＯＭ２に格納されている操作プログラムによって、処理されていく。
【００４４】
図３には、本発明に係る加工部品受注システムを実行するための流れ図が示されている。
図３において、３０は、発注側のＰＣの起動ブロックで、発注側のＰＣのＣＰＵ１を起動し、画面入力機能を作用し、画面を開くステップを示している。この起動ブロック３１において、発注側のＰＣが起動すると、商品カタログ選択ブロック３２に遷移する。この商品カタログ選択ブロック３２は、ディスプレイ４に表示されるプレス金型用部品カタログ、プラスチック金型用部品カタログ、ＦＡ用部品カタログのいずれかを選択する画面である。
この商品カタログ選択ブロック３２において、商品カタログの選択が行われると、基本形状選択ブロック３３に遷移する。この基本形状選択ブロック３３は、ディスプレイ４に表示されるプレス金型用部品カタログ、プラスチック金型用部品カタログ、ＦＡ用部品カタログのいずれか選択した商品カタログの発注対象の加工部品の基本形状をディスプレイ４に表示する画面である。
【００４５】
この基本形状選択ブロック３３において、発注対象の加工部品の基本形状の選択が行うと、処理ブロック３４に遷移する。この処理ブロック３４においては、加工部品に対する複数の加工内容の中から発注する加工部品の加工内容の選択、加工部品に対する複数の加工条件を発注する加工部品のそれぞれについて選択、加工内容の選択と加工条件の設定に基づく商品コードの選定を行う。この処理ブロック３４において、所定の処理が行われると、発注側で設定した加工内容、加工条件が商品カタログで予め設定してある範囲内の場合の場合、規格内ブロック３５に、発注側で設定した加工内容、加工条件が商品カタログで予め設定してある範囲外の場合の場合、規格外ブロック３６に、それぞれ遷移する。
【００４６】
規格外ブロック３６に遷移すると、見積額表示ブロック３７において、特注品としての見積額を表示する。この見積額表示ブロック３７において見積額の表示が行われるか、規格内ブロック３５において規格内とされると、発注ブロック３８に遷移する。
この発注ブロック３８に遷移すると、発注書が受注側に提示され、受注ということになる。
【００４７】
図３の流れを発注側のＰＣのディスプレイ４の画面遷移にしたがって説明する。
図４には、本発明に係る加工部品受注システムのカタログカテゴリを示す商品カタログの一覧が表示画面に示される。
図４において、表示画面には、商品カタログであるプレス金型用部品カタログ、プラスチック金型用部品カタログ、ＦＡ用部品カタログが表示されている。これらの商品カタログは、いずれかを選択することができるようになっている。
【００４８】
図４においてプラスチック金型用部品カタログを選択すると、図５において、プラスチック金型用部品の商品カテゴリーの一覧が表示される。この図５に図示のプラスチック金型用部品の商品カテゴリーにおいては、ストレートエジェクタピン、段付エジェクタピン、角エジェクタピン、センターピン（コアピン）、ストレートコアピン、段付コアピン、エジェクタスリーブ、丸入れ子、穴あき丸入れ子、インローピン等の製品の種類が示される。
【００４９】
図５に図示のストレートエジェクタピン５０には、先端形状が一定な形状になっている図６に示す如きストレートエジェクタピンの基本形状が示されている。
また、図５に図示の段付エジェクタピン５１には、先端形状が一定な形状になっている図７に示す如き段付エジェクタピンの基本形状が示されている。
そして、図５に図示の角エジェクタピン５２には、先端形状が一定な形状になっている図６に示す如き角エジェクタピンの基本形状が示されている。
【００５０】
図５に図示の商品カテゴリーの中から、発注する商品カテゴリーを選択すると、図５に図示の商品カテゴリー中から選択した商品カテゴリー（例えば、ストレートエジェクタピン５０）について加工可能な図９に図示の加工内容の一覧が表示される。
図５に図示の商品カテゴリーの中から、例えば、ストレートエジェクタピン５０を選択すると、ストレートエジェクタピン５０における加工内容については、図９に図示のようにストレート加工、先端加工、中つば加工、彫刻付加工が表示されている。
【００５１】
図９に図示のストレートエジェクタピン５０の加工内容の内、例えば、先端加工６０については、先端形状が指定できるように表示した図１０に示す如き、ストレートエジェクタピンの基本形状がある。
また、図９に図示の段付エジェクタピン５１の加工内容の内、例えば、先端加工６０については、先端形状が指定できるように表示した図１１に示す如き、段付エジェクタピンの基本形状がある。
図９に図示される複数の加工内容の内の先端形状の加工形状を指定できるストレートエジェクタピン５０の場合は、図１２に示す如き加工可能な先端形状がある。
【００５２】
さらに、図９に図示の角エジェクタピン５２の加工内容の内、例えば、先端加工６０については、先端形状が指定できるように表示した図１３に示す如き、角エジェクタピンの基本形状がある。
また、図９に図示される複数の加工内容の内の先端形状の加工形状を指定できる角エジェクタピン５２の場合は、図１４に示す如き加工可能な先端形状がある。
【００５３】
図１５には、図９に図示の表示画面において選択した加工内容に対応する「商品画像」と、選択した加工内容に対応する「条件項目」が表示してある。
図１５においては、図９に図示の表示画面において選択した加工内容に対応する基本形状と、先端形状について選択可能な加工形状の一覧と、材質が示されている。この基本形状は、商品画像であり、先端形状について選択可能な加工形状と材質が「条件項目」である。この「条件項目」については、条件項目数、条件項目内容は、選択した内容によって異なる。
【００５４】
図１５において、図９に図示の表示画面において選択した加工内容に対応する基本形状において、加工内容について加工形状を選択し、材質を指定すると、図１６に示す如く、選択した加工形状に対応する加工部品の基本形状と、加工条件（加工寸法）を挿入することのできる表示画面が表示される。
この加工条件の挿入可能な表示画面において、受注側のデータ処理装置のＣＰＵ１０のＲＯＭ１１の商品コードメモリエリア２６に記憶されている商品コードが読み出され、表示される。図１６においては、商品コードは、例えば、「ＥＰＨＶＬ２−１４８．２１−Ｔ４」となっている。
【００５５】
この状態から、加工部品の基本形状において、加工条件である加工寸法を挿入すると、図１６に示すような挿入した加工寸法に対応した加工部品の加工形状が示され、この加工寸法条件で、受注側のデータ処理装置のＣＰＵ１０のＲＯＭ１１の商品コードメモリエリア２６に記憶されている商品コードと照合し、商品コードを表示する。
この商品コードの表示にあたって、受注側のデータ処理装置のＣＰＵ１０のＲＯＭ１１の商品コードメモリエリア２６に記憶されている商品コードと合致すると、その商品コードが表示される。すなわち、指定した数値が規格内であると、商品コードを表示することになる。
また、商品コードの表示にあたって、受注側のデータ処理装置のＣＰＵ１０のＲＯＭ１１の商品コードメモリエリア２６に記憶されている商品コードと合致しない場合は、図１７に示すように、一部入力した数値が規格範囲外になっていることを表示し、修正するか、このままの設計で受注見積を依頼するかの選択を求める画面表示を行う。
【００５６】
図１８には、加工部品の基本形状において、加工条件である加工寸法を挿入した数値が規格内（標準部品の領域）、規格外（特注部品の領域）の明細の一覧を表示する表示画面が示されている。
また、図１９には、図１８において加工部品の基本形状において、加工可能範囲と、加工不可能範囲との表示と共に、加工可能範囲における規格内（標準部品の領域）、規格外（特注部品の領域）の加工寸法を表示する表示画面が示されている。
【符号の説明】
【００５７】
１……………………………………ＣＰＵ
２……………………………………ＲＯＭ
３……………………………………ＲＡＭ
４……………………………………ディスプレイ
５……………………………………Ｉ／Ｏ
６……………………………………キーボード
７……………………………………通信アダプタ
８……………………………………送受信装置
１０…………………………………ＣＰＵ
１１…………………………………ＲＯＭ
１２…………………………………ＲＡＭ
１３…………………………………ディスプレイ
１４…………………………………Ｉ／Ｏ
１５…………………………………キーボード
１６…………………………………通信アダプタ
１７…………………………………送受信装置
１８…………………………………ＲＡＭの第１の記憶エリア
１９…………………………………ＲＡＭの第２の記憶エリア
２１…………………………………カタログカテゴリーメモリエリア
２２…………………………………商品カテゴリーメモリエリア
２３…………………………………基本形状メモリエリア
２４…………………………………加工内容メモリエリア
２５…………………………………加工条件メモリエリア
２６…………………………………商品コードメモリエリア
５０…………………………………ストレートエジェクタピン
５１…………………………………段付エジェクタピン
５２…………………………………角エジェクタピン
６０…………………………………先端加工
【図１】
0005998362.tif 000002
【図２】
0005998362.tif 000003
【図３】
0005998362.tif 000004
【図４】
0005998362.tif 000005
【図５】
0005998362.tif 000006
【図６】
0005998362.tif 000007
【図７】
0005998362.tif 000008
【図８】
0005998362.tif 000009
【図９】
0005998362.tif 000010
【図１０】
0005998362.tif 000011
【図１１】
0005998362.tif 000012
【図１２】
0005998362.tif 000013
【図１３】
0005998362.tif 000014
【図１４】
0005998362.tif 000015
【図１５】
0005998362.tif 000016
【図１６】
0005998362.tif 000017
【図１７】
0005998362.tif 000018
【図１８】
0005998362.tif 000019
【図１９】
0005998362.tif 000020